(57)【要約】      （修正有）【課題】テレビジョン受信機に対応する放送番組を容易に識別可能な電子番組表を提供する。【解決手段】複数の放送番組及びその番組情報を含むテレビジョン放送を受信する受信部１１と、放送番組をデコードするデコーダ１２と、デコーダでデコードされた放送番組の映像を表示する表示部と、を備えるテレビジョン受信機である。番組情報が、テレビジョン受信機に対応する放送番組の番組情報である第１番組情報か、テレビジョン受信機に対応しない放送番組の番組情報である第２番組情報かを判定する判定部２２と、第２番組情報を第１番組情報と異なる態様で提示する又は第１番組情報のみを提示する、電子番組表を作成する作成部２３と、を備える。表示部３１は電子番組表を表示する。【選択図】図１
2016220160.tif 000002
【特許請求の範囲】
【請求項１】
複数の放送番組及びその番組情報を含むテレビジョン放送を受信する受信部と、
前記放送番組をデコードするデコーダと、
前記デコーダでデコードされた前記放送番組の映像を表示する表示部と、
を備えるテレビジョン受信機であって、
前記番組情報が、前記テレビジョン受信機に対応する前記放送番組の番組情報である第１番組情報か、前記テレビジョン受信機に対応しない前記放送番組の番組情報である第２番組情報かを判定する判定部と、
前記第２番組情報を前記第１番組情報と異なる態様で提示する、又は前記第１番組情報のみを提示する、電子番組表を作成する作成部と、を備え、
前記表示部は前記電子番組表を表示する、
テレビジョン受信機。
【請求項２】
前記判定部は、前記テレビジョン受信機の性能に対応する前記放送番組の番組情報を前記第１番組情報、前記テレビジョン受信機の性能に対応しない前記放送番組の番組情報を前記第２番組情報と判定する、
請求項１に記載のテレビジョン受信機。
【請求項３】
前記テレビジョン受信機の性能は、前記受信部による前記放送番組の受信に関する性能を含む、
請求項２に記載のテレビジョン受信機。
【請求項４】
前記テレビジョン受信機の性能は、前記デコーダによる前記放送番組のデコードに関する性能を含む、
請求項２又は３に記載のテレビジョン受信機。
【請求項５】
前記テレビジョン受信機の性能は、前記表示部による前記放送番組の表示に関する性能を含む、
請求項２から４のいずれか１項に記載のテレビジョン受信機。
【請求項６】
前記デコーダでデコードされた前記放送番組を記録する記録部をさらに備え、
前記テレビジョン受信機の性能は、前記記録部による前記放送番組の記録に関する性能を含む、
請求項２から５のいずれか１項に記載のテレビジョン受信機。
【請求項７】
前記テレビジョン受信機の受信に関する性能は、前記受信部が受信可能な放送番組の最大解像度である、
請求項３に記載のテレビジョン受信機。
【発明の詳細な説明】
【技術分野】
【０００１】
この発明は、テレビジョン受信機に関する。
【背景技術】
【０００２】
放送のデジタル化に伴い、アナログ放送にはなかった様々なサービスが登場した。中でもユーザの利便性に関係が深いサービスとして、電子番組表（ＥＰＧ：Ｅｌｅｃｔｒｏｎｉｃ  Ｐｒｏｇｒａｍ  Ｇｕｉｄｅ）が挙げられる。電子番組表を利用することで、ユーザはリモコン操作だけで各局の番組情報の一覧表示、視聴予約又は録画予約を容易に行うことができる。
【０００３】
また、近年の電子番組表は、番組情報の一覧表示、視聴予約又は録画予約といった従来の機能だけに留まらず、利便性向上のため様々な機能を有する。例えば、特許文献１では、文字の大きさを変更したり、一覧表示される項目の種類設定を行ったりすることで、電子番組表をユーザ好みにカスタマイズすることができるテレビジョン受信機が開示されている。電子番組表を各ユーザに合った設定にすることで、更なる利便性向上を実現することができる。
【０００４】
また、特許文献２は、複数の番組を予め一つにグループ化し、グループ単位で番組管理を行うグループ番組処理方法を開示している。グループ化に用いる属性は、例えばタイトル、ジャンル又はチャンネル番号等であり、グループごとに情報を取得したり画面表示したりすることで、利便性向上を実現している。
【０００５】
一方、テレビの高機能化・高画質化が進む中で、３８４０×２１６０の解像度（以降、４Ｋ）に対応した４Ｋ対応テレビが注目を集めている。現在の放送規格はＦｕｌｌ  ＨＤ（２Ｋ）の範囲内で運用されているが、今後４Ｋ放送に移行していく予定となっており、ＣＳ放送では既に４Ｋ試験放送も開始されている。
【先行技術文献】
【特許文献】
【０００６】
【特許文献１】特開２００６−２４６４２７号公報
【特許文献２】特開２００５−２８６３８８号公報
【発明の概要】
【発明が解決しようとする課題】
【０００７】
４Ｋ放送番組を受信するには、専用の４Ｋチューナーが必要である。そのため、４Ｋチューナーを搭載していないテレビでは、４Ｋ放送番組を受信することができないにも拘らず、電子番組表の番組一覧に４Ｋ放送番組を表示してしまう。このような場合、通常、視聴者は電子番組表の番組一覧に表示された４Ｋ放送番組の視聴又は録画等を行えると誤解する可能性があり、誤操作の原因となる等、利便性の低下が懸念される。
【０００８】
また、７６８０×４３２０の解像度（以降、８Ｋ）の８Ｋ放送が今後運用される予定であり、今後、一層様々な解像度の放送番組が混在することが想定される。そのため、ユーザは、使用するテレビでどの放送番組を視聴可能であるのか判断することが困難である。
【０００９】
本発明は上述の問題に鑑みてなされたものであり、テレビジョン受信機に対応する放送番組を容易に識別可能な電子番組表を表示することを目的とする。
【課題を解決するための手段】
【００１０】
本発明のテレビジョン受信機は、複数の放送番組及びその番組情報を含むテレビジョン放送を受信する受信部と、放送番組をデコードするデコーダと、デコーダでデコードされた放送番組の映像を表示する表示部と、を備えるテレビジョン受信機であって、番組情報が、テレビジョン受信機に対応する放送番組の番組情報である第１番組情報か、テレビジョン受信機に対応しない放送番組の番組情報である第２番組情報かを判定する判定部と、第２番組情報を第１番組情報と異なる態様で提示する、又は第１番組情報のみを提示する、電子番組表を作成する作成部と、を備え、表示部は電子番組表を表示する。
【発明の効果】
【００１１】
本発明のテレビジョン受信機は、複数の放送番組及びその番組情報を含むテレビジョン放送を受信する受信部と、放送番組をデコードするデコーダと、デコーダでデコードされた放送番組の映像を表示する表示部と、を備えるテレビジョン受信機であって、番組情報が、テレビジョン受信機に対応する放送番組の番組情報である第１番組情報か、テレビジョン受信機に対応しない放送番組の番組情報である第２番組情報かを判定する判定部と、第２番組情報を第１番組情報と異なる態様で提示する、又は第１番組情報のみを提示する、電子番組表を作成する作成部と、を備え、表示部は電子番組表を表示する。従って、テレビジョン受信機に対応しない放送番組の番組情報は電子番組表に表示されないか、あるいは電子番組表上で判別可能であるため、ユーザはテレビジョン受信機に対応する放送番組を容易に識別可能である。
【図面の簡単な説明】
【００１２】
【図１】本発明のテレビジョン受信機の構成を示すブロック図である。
【図２】本発明のテレビジョン受信機のハードウェア構成図である。
【図３】本発明のテレビジョン受信機の動作を示すフローチャートである。
【図４】本発明のテレビジョン受信機が作成する電子番組表を示す図である。
【図５】本発明の変形例のテレビジョン受信機が作成する電子番組表を示す図である。
【発明を実施するための形態】
【００１３】
＜Ａ．実施の形態１＞
＜Ａ−１．構成＞
図１は、本発明の実施の形態１に係るテレビジョン受信機１００の構成を示すブロック図である。テレビジョン受信機１００は、受信処理部１、電子番組表作成部２及び表示処理部３を備えている。
【００１４】
受信処理部１は、制御部１０、受信部１１及びデコーダ１２を備えている。制御部１０は、受信部１１及びデコーダ１２を制御する。受信部１１は、テレビジョン放送波を受信する。このテレビジョン放送波には、放送番組及び放送番組に関する番組情報が多重化されている。すなわち、受信部１１は、放送番組及び放送番組に関する番組情報を受信する。デコーダ１２は、放送番組をデコードして映像信号及び音声信号に変換する。
【００１５】
電子番組表作成部２は、制御部２０、受信機性能確認部２１、判定部２２、作成部２３及び記録部２４を備えている。制御部２０は、受信機性能確認部２１、判定部２２、作成部２３及び記録部２４を制御する。受信機性能確認部２１は、テレビジョン受信機１００の性能情報（受信機性能情報）を取得し、取得した受信機性能情報を制御部２０に提供する。なお、テレビジョン受信機１００の性能情報は、例えば記録部２４に予め記録されている。判定部２２は、制御部２０から取得した番組情報及び受信機性能情報に基づき、放送番組が視聴可能か否かを判定し、判定結果を制御部２０に提供する。記録部２４には、視聴可能と判定された放送番組に関する番組情報が記録される。作成部２３は、制御部２０から取得した判定部２２の判定結果に基づき、視聴可能と判定された放送番組に関する番組情報のみで構成された電子番組表を生成する。
【００１６】
表示処理部３は、制御部３０及び表示部３１を備えている。制御部３０は、表示部３１を制御する。表示部３１は、液晶ディスプレイなどのディスプレイであり、電子番組表作成部２により生成された電子番組表を表示出力する。
【００１７】
図２は、テレビジョン受信機１００のハードウェア構成図である。テレビジョン受信機１００は、受信装置４１、プロセッサ４２、メモリ４３、ディスプレイ４４により構成される。受信部１１は、受信アンテナ等の受信装置４１で実現される。制御部１０，２０，３０、デコーダ１２、受信機性能確認部２１、判定部２２及び作成部２３は、例えば図２のＣＰＵ（Ｃｏｎｔｒｏｌｌ  Ｐｒｏｃｅｓｓｉｎｇ  Ｕｎｉｔ）等のプロセッサ４２が、ＲＡＭ（Ｒａｎｄｏｍ  Ａｃｃｅｓｓ  Ｍｅｍｏｒｙ）などのメモリ４３に格納されたプログラムを実行することにより、プロセッサ４２の機能として実現される。ただし、これらは、複数のプロセッサ４２が連携して実現されても良い。また、記録部２４は、ＨＤＤ（Ｈａｒｄ  Ｄｉｓｋ  Ｄｒｉｖｅ）またはＳＤカードなどのメモリ４３により構成される。表示部３１はディスプレイ４４により実現される。
【００１８】
＜Ａ−２．動作＞
図３は、テレビジョン受信機１００による電子番組表の表示処理を示すフローチャートである。以下、図３に沿って電子番組表の表示処理を説明する。まず、受信部１１が放送波から放送番組に関する番組情報を受信すると（ステップＳ１）、デコーダ１２が当該番組情報をデコードする（ステップＳ２）。デコーダ１２でデコードされた番組情報は、デコーダ１２から制御部１０に送られ、さらに制御部１０から制御部２０に送られる。
【００１９】
制御部２０は制御部１０から番組情報を取得すると、受信機性能確認部２１を制御して、受信機性能情報を取得させる（ステップＳ３）。受信機性能情報は、受信機性能確認部２１から制御部２０に送られ、さらに制御部２０から判定部２２に送られる。制御部２０はさらに、デコード後の番組情報も判定部２２に送る。
【００２０】
判定部２２は、制御部２０から取得した番組情報の中に、未判定の番組情報が有るか否かを判断する（ステップＳ４）。未判定の番組情報が有る場合は、そのうちの一つを選択する（ステップＳ５）。
【００２１】
次に、判定部２２は、受信機性能情報に基づき、ステップＳ５で選択した番組情報が視聴可能な放送番組に関する番組情報か否かを判定する（ステップＳ６）。例えば、受信機性能情報が受信部１１で受信できる最大解像度情報を含む場合、最大解像度情報以下の解像度の番組であれば、視聴可能な放送番組（テレビジョン受信機１００に対応する放送番組）の番組情報であると判定する。そして、最大解像度情報以下の解像度の番組であれば、視聴不可能な放送番組（テレビジョン受信機１００に対応しない放送番組）の番組情報であると判定する。この場合、放送番組の本来の解像度より低い解像度での視聴は可能であるが、本来の解像度で視聴できないという意味で視聴可能ではないと判定する。また、受信機性能情報がテレビジョン受信機１００について受信契約している番組（チャンネル）についての情報を含む場合には、当該放送番組が受信契約している番組の番組情報かどうかを判定する。受信契約していない番組にはスクランブルがかけられており、受信部１１で受信できてもデコーダ１２がデコードすることが出来ない。従って、受信契約に関する情報は、デコーダ１２によるデコードに関する性能の情報といえる。このように、判定部２２は、番組情報がテレビジョン受信機１００に対応している放送番組の番組情報（第１番組情報）か、対応していない放送番組の番組情報（第２番組情報）かを判定している。
【００２２】
ステップＳ６で、視聴可能な放送番組に関する番組情報であると判断した場合には、当該番組情報を記録部２４に保存し（ステップＳ７）、ステップＳ４に戻る。ステップＳ６で、視聴不可能な放送番組に関する番組情報であると判断した場合には、当該番組情報は記録部２４に保存することなく、ステップＳ４に戻る。
【００２３】
受信した全ての番組情報について判定部２２による視聴可否の判定が終了すると（ステップＳ４：ＮＯ）、制御部２０は、記録部２４に保存されている全番組情報を作成部２３に提供する。作成部２３は、制御部２０から番組情報に基づき電子番組表を生成する（ステップＳ８）。記録部２４に保存されている番組情報は、テレビジョン受信機１００で視聴可能な放送番組に関するもののみであるため、作成部２３が生成する電子番組表には、テレビジョン受信機１００が視聴可能な放送番組に関する番組情報のみが提示される。当該電子番組表は、作成部２３から制御部２０へ、制御部２０から制御部３０へ送られる。
【００２４】
制御部３０は、電子番組表作成部２から取得した電子番組表を表示部３１に提供する。表示部３１は、制御部３０から取得した電子番組表を画面に表示出力する（ステップＳ９）。
【００２５】
図４は、テレビジョン受信機１００による電子番組表の表示例を示している。電子番組表の縦軸は時間を示し、横軸はチャンネルを示している。ここで、テレビジョン受信機は２Ｋ番組を受信できるが、４Ｋ番組を受信できないものとする。すなわち、受信部１１が受信できる放送番組の最大解像度は２０４８×１０８０とする。従って、電子番組表には２Ｋ番組より高い解像度の放送番組に関する番組情報は示されない。このような表示により、ユーザは視聴可否を意識することなく、電子番組表から番組を選択して視聴することができる。
【００２６】
＜Ａ−３．変形例＞
上記の説明では、電子番組表にはテレビジョン受信機１００で視聴可能な放送番組の番組情報のみが掲載された。しかし、視聴不可能な放送番組の番組情報を他の番組情報と異なる態様で電子番組表に掲載しても良い。異なる態様で掲載されている限り、ユーザはどれが視聴不可能な放送番組であるかを把握することが出来る。図５は、そのような電子番組表の例示であるこの表示例では、４Ｋ番組の番組情報も他の番組情報と共に電子番組表に掲載されるが、グレーアウトされているため、ユーザは４Ｋ番組も視聴できないことを理解することが出来る。図３のフローチャートでは、視聴可能な放送番組の番組情報のみを記録部２４に保存すると説明したが、図５の電子番組表を作成する場合、視聴可否によらず全ての番組情報を記録部２４に保存する。但し、視聴不可能と判定した放送番組の番組情報については、その旨を示す情報と共に記録部２４に保存する。そして、作成部２３は、視聴不可能と判定した放送番組の番組情報についてはグレーアウトさせて表示する。
【００２７】
なお、上記の「異なる態様」の例としては、グレーアウトの他、ラテ欄にアイコンを追加したり、背景色を変更する等の態様が考えられる。
【００２８】
また、図３のフローチャートでは、テレビジョン受信機１００がユーザの操作を受けず自動で電子番組表を生成するものとして説明した。しかし、テレビジョン受信機１００は、電子番組表の生成を指示するユーザの操作入力を受け付けてから電子番組表を生成しても良い。
【００２９】
また、上記の説明では、受信機性能情報について、受信部１１の受信性能に関する性能情報として最大解像度に関する情報を挙げ、デコーダ１２のデコードに関する性能情報として受信契約に関する情報を挙げた。その他、受信機性能情報は、３Ｄ映像の表示可否など表示部３１における表示に関する性能情報であっても良い。また、温室又はマルチチャンネル情報等の音声サービス、ネットワーク接続の有無等に基づき番組情報の判定を行っても良い。
【００３０】
また、記録部２４には番組情報を保存すると説明したが、その他に放送番組を保存しても良い。この場合、受信機性能情報は記録部２４の記録容量等、記録性能に関する情報であっても良い。すなわち、記録部２４で記録できない放送番組の番組情報を、テレビジョン受信機１００に対応しない放送番組の番組情報として、電子番組表において他の番組情報とは異なる態様で提示するか、電子番組表に掲載しない。
【００３１】
また、上記の説明では、テレビジョン受信機１００の性能に基づき番組情報の判定を行っていたが、テレビジョン受信機１００の性能とは無関係に、ユーザの設定条件に応じて番組情報の判定を行うことも考えられる。例えば、ユーザがテレビジョン受信機１００にパレンタルレベルを設定している場合は、番組情報に含まれるパレンタルレートに基づき番組情報の判定を行うことができる。
【００３２】
また、以上の説明では、制御部１０，２０，３０、デコーダ１２、受信機性能確認部２１、判定部２２及び作成部２３は、図２のプロセッサ４２が、メモリ４３に格納されたソフトウェアプログラムに従って動作することにより実現された。しかしこれに代えて、制御部１０，２０，３０、デコーダ１２、受信機性能確認部２１、判定部２２及び作成部２３は、当該動作をハードウェアの電気回路で実現する信号処理回路により実現されてもよい。ソフトウェアの制御部１０，２０，３０、デコーダ１２、受信機性能確認部２１、判定部２２及び作成部２３と、ハードウェアの制御部１０，２０，３０、デコーダ１２、受信機性能確認部２１、判定部２２及び作成部２３とを合わせた概念として、「部」という語に代えて「処理回路」という語を用いることもできる。
【００３３】
＜Ａ−４．効果＞
本発明の実施の形態１に係るテレビジョン受信機１００は、複数の放送番組及びその番組情報を含むテレビジョン放送を受信する受信部１１と、放送番組をデコードするデコーダ１２と、デコーダ１２でデコードされた放送番組の映像を表示する表示部と、番組情報が、テレビジョン受信機１００に対応する放送番組の番組情報である第１番組情報か、テレビジョン受信機１００に対応しない放送番組の番組情報である第２番組情報かを判定する判定部２２と、第２番組情報を第１番組情報と異なる態様で提示する、又は第１番組情報のみを提示する電子番組表を作成する作成部２３と、を備え、表示部３１は電子番組表を表示する。従って、テレビジョン受信機１００に対応しない放送番組の番組情報は電子番組表に表示されないか、あるいは電子番組表上で判別可能であるため、ユーザはテレビジョン受信機１００に対応する放送番組を容易に識別可能である。
【００３４】
また、判定部２２は、テレビジョン受信機１００の性能に対応する放送番組の番組情報を第１番組情報、テレビジョン受信機１００の性能に対応しない放送番組の番組情報を第２番組情報と判定するので、ユーザはテレビジョン受信機１００の性能に対応する放送番組を容易に識別可能である。
【００３５】
また、テレビジョン受信機１００の性能は、受信部１１による放送番組の受信に関する性能を含むので、ユーザは受信部１１の受信性能に対応する放送番組を容易に識別可能である。
【００３６】
また、テレビジョン受信機１００の性能は、デコーダ１２による放送番組のデコードに関する性能を含むので、ユーザはデコーダ１２のデコード性能に対応する放送番組を容易に識別可能である。
【００３７】
また、テレビジョン受信機１００の性能は、表示部３１による放送番組の表示に関する性能を含むので、ユーザは表示部３１の表示性能に対応する放送番組を容易に識別可能である。
【００３８】
また、テレビジョン受信機１００は、デコーダ１２でデコードされた放送番組を記録する記録部２４を備え、テレビジョン受信機１００の性能は、記録部２４による放送番組の記録に関する性能を含むので、ユーザは記録部２４の記録性能に対応する放送番組を容易に識別可能である。
【００３９】
また、テレビジョン受信機１００の受信に関する性能は、受信部１１が受信可能な放送番組の最大解像度である。従って、ユーザは、最大解像度以内の解像度の放送番組の番組情報を容易に識別可能である。
【００４０】
なお、本発明は、その発明の範囲内において、実施の形態を適宜、変形、省略することが可能である。
【符号の説明】
【００４１】
１  受信処理部、２  電子番組表作成部、３  表示処理部、１０，２０，３０  制御部、１１  受信部、１２  デコーダ、２１  受信機性能確認部、２２  判定部、２３  作成部、２４  記録部、３１  表示部、４１  受信装置、４２  プロセッサ、４３  メモリ、４４  ディスプレイ、１００  テレビジョン受信機。
【図１】
2016220160.tif 000003
【図２】
2016220160.tif 000004
【図３】
2016220160.tif 000005
【図４】
2016220160.tif 000006
【図５】
2016220160.tif 000007